(57)【特許請求の範囲】
【請求項１】
時計本体の表面に、該時計本体に電力を供給する光電変換手段が設けられてなるソーラー時計に使用されるソーラー時計用表示板において、
前記光電変換手段の上に、
ＳｒＡｌ２Ｏ４：Ｅｕ２+，Ｄｙ３+、または、
Ｓｒ４Ａｌ１４Ｏ２５：Ｅｕ２+，Ｄｙ３+、または、
ＣａＡｌ２Ｏ４：Ｅｕ２+，Ｎｄ３+
よりなる蓄光性蛍光体層が１０μｍ〜３００μｍの厚さに設けられてなる
ことを特徴とする
ソーラー時計用表示板。
【請求項２】
前記光電変換手段の上に前記蓄光性蛍光体層とプリズム層とが設けられてなる
ことを特徴とする
請求項１記載のソーラー時計用表示板。
【請求項３】
前記光電変換手段の上に前記蓄光性蛍光体層と光拡散層または光反射層とが設けられてなる
ことを特徴とする
請求項１記載のソーラー時計用表示板。
【請求項４】
前記ソーラー時計用表示板は、前記光電変換手段の上に表示板用基板が設けられ、該表示板用基板の上に前記蓄光性蛍光体層が設けられ、該蓄光性蛍光体層の上にオーバーコート層が設けられてなる
ことを特徴とする
請求項１、２、または、３記載のソーラー時計用表示板。
【請求項５】
前記蓄光性蛍光体層は、その表面の一部領域に凸部が形成されてなり、該凸部をもって、文字、マーク、または、模様が構成されてなる
ことを特徴とする
請求項４記載のソーラー時計用表示板。
【請求項６】
前記オーバーコート層は、少なくとも１層の樹脂層をもって構成されてなる
ことを特徴とする
請求項４、または、５記載のソーラー時計用表示板。
【請求項７】
前記表示板用基板または前記オーバーコート層は、前記蓄光性蛍光体層の発光色調とは異なる色調を有する
ことを特徴とする
請求項４、５、または、６記載のソーラー時計用表示板。
【発明の詳細な説明】
【０００１】
【発明の属する技術分野】
本発明は、時計本体に電力を供給する光電変換手段（以下ソーラーセルと言う。）が、時計本体の表面に設けられているソーラー時計に使用されるソーラー時計用表示板の改良に関する。特に、暗所でも文字板の表示を観察することができて時刻を確認することができるようにし、文字板の美観を向上し、文字板の意匠の多様化を可能にし、もって、ソーラー時計の商品価値を向上する改良に関する。
【０００２】
【従来の技術】
自然光を光源とするソーラーセル（太陽電池とも呼ばれる光電変換手段）は、時計、電卓、携帯ラジオ等の電源として、広く使用されている。
【０００３】
かゝるソーラーセルを電源とする時計をソーラー時計と言う。
【０００４】
従来技術に係るソーラー時計に使用される表示板の平面図と側断面図とを、それぞれ、図１１と図１２とに示す。図において、３１は時計本体であり、３２はアモルファスシリコン等よりなるソーラーセルであり、一般に、扇形に形成されており、３３は扇形のソーラーセルを相互に絶縁する絶縁領域であり、３４は透明なポリカーボネートまたはアクリル樹脂の透明板であり、３５は透明のオーバーコートであり、３６が表示針である。
【０００５】
自然光は、オーバーコート３５と透明板３４とを透過してソーラーセル３２に照射され、ここで光電変換され、暫時電力を貯留する二次電池を介して、時計本体に電力として供給される。
【０００６】
【発明が解決しようとする課題】
かゝるソーラー時計は、光の照射が遮断されても、二次電池が充電されている期間は動作を継続するが、文字板照射手段が設けられていない場合は、暗所においては、文字板を観察することができず、時刻を確認することはできない。
【０００７】
また、ソーラーセルの材料には、上記したように、アモルファスシリコン等が使用されることが一般であるが、これらは茶褐色または暗青色であり美麗な色彩ではなく、また、ソーラーセルは、上記したように扇形状にされ、これらは絶縁領域を介して配設されることが一般であるから、図１１に図示した十字模様が文字板の表面から見えるので、文字板の美観は劣り、さらに、文字板の意匠選択が制限され、ソーラー時計の商品価値が劣るという欠点がある。
【０００８】
本発明の目的は、これらの欠点を解消することにあり、文字板照射手段を設けなくても、暗所において文字板を観察することができて時刻を確認することができるようにし、文字板の色彩的制限を排除して、文字板の色彩として美麗な色彩の選択を可能にするとゝもに、文字板の意匠選択の自由度の拡大を可能にし、結果的にソーラー時計の商品価値を増大することができるソーラー時計用表示板を提供することにある。
【０００９】
【課題を解決するための手段】
上記の目的を達成するために、本発明に係るソーラー時計用表示板は、ソーラーセルの上に、蓄光性蛍光体層、または、蓄光性蛍光体層とプリズム層との積層体、または、蓄光性蛍光体層と光拡散層もしくは光反射層との積層体を積層して構成したものである。
【００１０】
ソーラーセルの上に蓄光性蛍光体層を設けることにより、暗所でも表示板の観察ができ、時刻の確認ができるばかりでなく、ソーラーセルが透けて見えることがなくなり、時計用表示板の美麗化に貢献し、さらに、意匠選択の自由度を向上する。
【００１１】
蓄光性蛍光体層に重ねてプリズム層を設けるときは、蓄光性蛍光体層の発する光が集光されて平行光となるため、輝度を向上する効果がある。
【００１２】
蓄光性蛍光体層に重ねて光拡散層または光反射層を設けるときは、ソーラーセルが透けて見えるという欠点を解消する効果が増大する。
【００１３】
上記の蓄光性蛍光体層の材料には、ＳｒＡｌ2 Ｏ4 ：Ｅｕ2+，Ｄｙ3+、  または、Ｓｒ4 Ａｌ14Ｏ25：Ｅｕ2+，Ｄｙ3+、  または、ＣａＡｌ2 Ｏ4 ：Ｅｕ2+，Ｎｄ3+が使用できる。
【００１４】
ＳｒＡｌ2 Ｏ4 ：Ｅｕ2+，Ｄｙ3+は白色色調の緑色（約５２５ｎｍ）を発光し、Ｓｒ4 Ａｌ14Ｏ25：Ｅｕ2+，Ｄｙ3+は白色色調の青緑色（約４９０ｎｍ）を発光し、ＣａＡｌ2 Ｏ4 ：Ｅｕ2+，Ｎｄ3+は白色色調の青色（約４４０ｎｍ）を発光する。ＳｒＡｌ2 Ｏ4 ：Ｅｕ2+，Ｄｙ3+の励起スペクトルと刺激停止後３０分経過後の発光スペクトルとを図８に、Ｓｒ4 Ａｌ14Ｏ25：Ｅｕ2+，Ｄｙ3+の励起スペクトルと刺激停止後３０分経過後の発光スペクトルとを図９に、ＣａＡｌ2 Ｏ4 ：Ｅｕ2+，Ｎｄ3+の励起スペクトルと刺激停止後３０分経過後の発光スペクトルとを図１０に、それぞれ示す。
【００１５】
ＳｒＡｌ2 Ｏ4 ：Ｅｕ2+，Ｄｙ3+を製造するには、炭酸ストロンチュウムとアルミナとの混合物に賦活剤としてＥｕ2 Ｏ3 とＤｙ2 Ｏ3 とを添加し、十分混合した後、焼成する。Ｓｒ4 Ａｌ14Ｏ25：Ｅｕ2+，Ｄｙ3+を製造するには、炭酸ストロンチュウムとアルミナとの混合物に賦活剤としてＥｕ2 Ｏ3 とＤｙ2 Ｏ3 とを添加し、十分混合した後、焼成する。ＣａＡｌ2 Ｏ4 ：Ｅｕ2+，Ｎｄ3+を製造するには、炭酸カルシュウムとアルミナとの混合物に賦活剤としてＥｕ2 Ｏ3 とＮｄ2 Ｏ3 とを添加し、十分混合した後、焼成する。
【００１６】
上記の白色色調の蓄光性蛍光体層の厚さは１０μｍ〜３００μｍであることが必要である。厚さが薄すぎると発光光量が少なく蓄光性蛍光体層としての効果を奏さず、厚すぎるとソーラーセルに供給される光量を制限して時計本体の動作を困難にするからである。
【００１７】
具体的には、本発明に係るソーラー時計用表示板は、ソーラーセルの上に表示板用基板を設け、その上に、上記の白色色調の蓄光性蛍光体層を設け、その上を、オーバーコート層をもって覆う層構造が望ましい。
【００１８】
また、上記の白色色調の蓄光性蛍光体層の表面の一部領域を凸状にしておき、この凸状部をもって文字等やマーク等や模様等を形成しておくと、表示板が美麗となり、表示板の意匠選択の自由度も向上する。
【００１９】
オーバーコート層を樹脂層の積層体をもって構成しておくと、その上に文字や模様を印刷する場合、文字や模様の印刷が滲むことがなく、表示板の美観を向上する。
【００２０】
さらに、表示板用基板やオーバーコート層の色調を、蓄光性蛍光体層の発光色調とは異なる色調にしておくと、意匠選択の自由度向上に、さらに有効である。
【００２１】
【発明の実施の形態】
以下、図面を参照して、本発明の実施の形態の九つの例に係るソーラー時計用表示板について、さらに詳細に説明する。
【００２２】
第１例
ソーラーセルの上に表示板用基板が設けられ、この表示板用基板の上に蓄光性蛍光体層が設けられ、この蓄光性蛍光体層の上にオーバーコート層が設けられている例
図１参照
図は本発明の実施の形態の第１例に係るソーラー時計用表示板の側断面図である。図において、４は時計本体であり、１１はアモルファスシリコン等よりなるソーラーセルであり、図１１に図示したように扇形板状体とされ、絶縁領域（図示せず。）を挟んで配設される。１２は表示板用基板であり、白色色調の透明なポリカーボネートまたはアクリル樹脂の板であり、１３が本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。１４はオーバーコート層であり、蓄光性蛍光体層１３の表面に艶消しスクリーン印刷される。１５は時字である。
【００２３】
本例に係るソーラー時計用表示板は、白色色調の蓄光性蛍光体層１３が表示板用基板１２の上に設けられているので、蓄光性蛍光体が長期間高輝度の蓄光特性を発揮し、暗所でも表示板を観察することができ、時刻を確認することができる。
【００２４】
また、白色色調の蓄光性蛍光体層１３がソーラーセル１１を覆っているので、ソーラーセル１１は透けて見えず、ソーラー時計用表示板の美観は向上する。
【００２５】
蓄光性蛍光体層１３の光透過率（蓄光性蛍光体層を有する場合と蓄光性蛍光体層を欠く場合とのソーラーセルの出力電流の比）は、表示板用基板１２が白色色調の透明なポリカーボネートまたはアクリル樹脂の板である場合、ＳｒＡｌ2 Ｏ4 ：Ｅｕ2+，Ｄｙ3+に対しては５９．７％、であり、ＣａＡｌ2 Ｏ4 ：Ｅｕ2+，Ｎｄ3+に対しては６１．７％であった。時計本体の動作に必要な所要電力は、蓄光性蛍光体層を欠く場合の５０％程度であるから、上記いづれの場合も時計本体の動作に不都合はない。
【００２６】
なお、蓄光性蛍光体層１３の光透過率は、表示板用基板１２が白色色調の半透明のポリカーボネートまたはアクリル樹脂の板である場合、ＳｒＡｌ2 Ｏ4 ：Ｅｕ2+，Ｄｙ3+に対しては５６．４％であり、ＣａＡｌ2 Ｏ4 ：Ｅｕ2+，Ｎｄ3+に対しては５４．０％であった。また、表示板用基板１２に光拡散板が使用されている場合は、蓄光性蛍光体層１３の光透過率は、ＳｒＡｌ2 Ｏ4 ：Ｅｕ2+，Ｄｙ3+に対しては６１．６％であり、ＣａＡｌ2 Ｏ4 ：Ｅｕ2+，Ｎｄ3+に対しては５８．７％であった。いづれの場合も光透過率は５０％以上であるから、時計本体の動作に不都合はない。
【００２７】
オーバーコート層１４が樹脂薄膜の積層体であると、ソーラー時計用表示板の表面に印刷を実行する場合、滲むことはない。
【００２８】
第２例
ソーラーセルの上に蓄光性蛍光体層が設けられ、その上に表示板用基板が設けられ、表示板用基板の上面がプリズムとされ、その上にオーバーコート層が設けられている例
図２参照
図は、本発明の実施の形態の第２例に係るソーラー時計用表示板の側断面図である。図において、１１はアモルファスシリコン等よりなるソーラーセルであり、図１１に図示したように扇形板状体とされ、絶縁領域（図示せず。）を挟んで配設される。１３は本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。１２は白色色調の透明なポリカーボネートまたはアクリル樹脂の板よりなる表示板用基板であり、本例においては、その上面が配列された多数のプリズムとされている。換言すれば、表示板用基板の上面に、微小なプリズムが、３時〜９時の方向に多数配設されている。１４はオーバーコート層であり、蓄光性蛍光体層１３の表面に艶消しスクリーン印刷される。１５は時字である。
【００２９】
本例においては、表示板用基板１２とオーバーコート層１４との間に、多数の微小なプリズムが、３時〜９時の方向に配設されているので、蓄光性蛍光体層１３から外部に射出される光が集光され、輝度が向上する。本例のようにプリズムが使用されると、透過率が２％程度低下するが、時計本体の動作に実害はない。
【００３０】
第３例
ソーラーセルの上に、下面がプリズムとされた表示板用基板が設けられ、その上に蓄光性蛍光体板が設けられ、その上にオーバーコート層が設けられている例
図３参照
図は本発明の実施の形態の第３例に係るソーラー時計用表示板の側断面図である。図において、１１はアモルファスシリコン等よりなるソーラーセルであり、図１１に図示したように扇形板状体とされ、絶縁領域（図示せず。）を挟んで配設される。１２は白色色調の透明なポリカーボネートまたはアクリル樹脂の板よりなる表示板用基板であり、本例においては、その下面が配列された多数のプリズムとされている。換言すれば、表示板用基板の下面に微小なプリズムが、３時〜９時の方向に多数配設されている。１３は本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。１４はオーバーコート層であり、蓄光性蛍光体層１３の表面に艶消しスクリーン印刷される。１５は時字である。
【００３１】
本例においては、ソーラーセル１１と表示板用基板１２との間に、多数の微小なプリズムが、３時〜９時の方向に配設されているので、蓄光性蛍光体層１３からソーラーセル１１に向かって射出される光が、プリズムで集光されて平行光となってソーラーセル１１に入射し、一方、ソーラーセル１１の表面で反射した光はプリズムによって散乱されるので、ソーラーセル１１がソーラー時計用表示板の表面から透けて見えることがない。本例においても、プリズムの使用にもとずき光透過率が２％程度低下するが、時計本体の動作に実害はない。
【００３２】
第４例
蓄光性蛍光体層の表面一部領域に凸部が設けられている例
図４参照
図は本発明の実施の形態の第４例に係るソーラー時計用表示板の側断面図である。図において、１１はアモルファスシリコン等よりなるソーラーセルであり、図１１に図示したように扇形板状体とされ、絶縁領域（図示せず。）を挟んで配設される。１２は白色色調の透明なポリカーボネートまたはアクリル樹脂の板よりなる表示板用基板である。１３は本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。本例においては、蓄光性蛍光体層１３の表面には、一部領域に凸部１６よりなる文字（表示）、マーク、模様等が形成されている。１４はオーバーコート層であり、蓄光性蛍光体層１３の表面に艶消しスクリーン印刷される。１５は時字である。
【００３３】
本例においては、蓄光性蛍光体層１３の表面の一部領域に凸部１６が形成されており、この凸部１６が文字等の表示や、商標等のマークや、キャラクタ等の模様等とされているので、美観が向上するばかりでなく、意匠選択の自由度が向上して、ソーラー時計の商品価値を向上することができる。
【００３４】
第５例
オーバーコート層を樹脂薄膜の積層体とした例
オーバーコート層を樹脂薄膜の積層体とすると、オーバーコート層の上に文字等を印刷する場合、滲むことがなく、正確に印刷することができる。
【００３５】
第６例
表示板用基板の色調を白色色調とは異なる色調とする例
表示板用基板の色調を白色色調とは異なる色調とすると、意匠選択の自由度が向上して、ソーラー時計の商品価値が向上する。
【００３６】
第７例
ソーラーセルと表示板用基板との間に光拡散層が設けられている例
図５参照
図は、本発明の実施の形態の第７例に係るソーラー時計用表示板の側断面図である。図において、１１はアモルファスシリコン等よりなるソーラーセルであり、図１１に図示したように扇形板状体とされ、絶縁領域（図示せず。）を挟んで配設される。１７が本例の要旨に係る光拡散層であり、曇りガラス状体である。１２は白色色調の透明なポリカーボネートまたはアクリル樹脂の板よりなる表示板用基板である。１３は本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。１４はオーバーコート層であり、蓄光性蛍光体層１３の表面に艶消しスクリーン印刷される。１５は時字である。
【００３７】
本例においては、ソーラーセル１１と表示板用基板１２との間に光拡散層が設けられるので、ソーラーセル１１からの反射光が散乱し、ソーラーセル１１が時計用表示板の表面から透けて見えにくくなる。
【００３８】
第８例
ソーラーセルと表示板用基板との間に光反射層が設けられている例
図６参照
図は、本発明の実施の形態の第８例に係るソーラー時計用表示板の側断面図である。図において、１１はアモルファスシリコン等よりなるソーラーセルであり、図１１に図示したように扇形板状体とされ、絶縁領域（図示せず。）を挟んで配設される。１８が本例の要旨に係る光反射層である。１２は白色色調の透明なポリカーボネートまたはアクリル樹脂の板よりなる表示板用基板である。１３は本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。１４はオーバーコート層であり、蓄光性蛍光体層１３の表面に艶消しスクリーン印刷される。１５は時字である。
【００３９】
本例においては、ソーラーセル１１と表示板用基板１２との間に光反射層が設けられるので、ソーラーセル１１からの反射光が散乱し、ソーラーセル１１がソーラー時計用表示板の表面から透けて見えにくくなる。
【００４０】
第９例
ソーラーセルの上に蓄光性蛍光体層が設けられ、その上に表示板用基板が設けられ、その上にプリズム層が設けられ、その上に、オーバーコート層が設けられている例
図７参照
図は、本発明の実施の形態の第９例に係るソーラー時計用表示板の側断面図である。図において、１１はアモルファスシリコン等よりなるソーラーセルであり、図１１に図示したように扇形板状体とされ、絶縁領域（図示せず。）を挟んで配設される。１３は本発明の要旨に係る白色色調の蓄光性蛍光体層であり、その材料には、緑色（５２５ｎｍ）が選択される場合はＳｒＡｌ2 Ｏ4 ：Ｅｕ2+，Ｄｙ3+が、青緑色（４９０ｎｍ）が選択される場合はＳｒ4 Ａｌ14Ｏ25：Ｅｕ2+，Ｄｙ3+が、青色（４４０ｎｍ）が選択される場合はＣａＡｌ2 Ｏ4 ：Ｅｕ2+，Ｎｄ3+が、それぞれ使用され、表示板用基板１２の表面にスクリーン印刷される。１２は白色色調の透明なポリカーボネートまたはアクリル樹脂の板よりなる表示板用基板である。１９が本例の要旨に係るプリズム層であり、その上面が、３時〜９時の方向に配設されている多数の微小なプリズムの形状とされている。１４はオーバーコート層であり、蓄光性蛍光体層１３の表面に艶消しスクリーン印刷される。１５は時字である。
【００４１】
本例においては、表示板用基板１２とオーバーコート層１４との間にプリズム層１９が設けられているので、蓄光性蛍光体層１３から外部に射出される光が集光され、輝度が向上する。
【００４２】
なお、プリズム層が設けられると、光透過率が２％程度低下するが、時計本体の動作に実害はない。
【００４３】
【発明の効果】
以上説明したとうり、本発明に係るソーラー時計用表示板は、ソーラーセルの上に、蓄光性蛍光体層、または、蓄光性蛍光体層とプリズム層との積層体、または、蓄光性蛍光体層と光拡散層もしくは光反射層との積層体を積層することにされているので、暗所でも表示板の観察ができ、時刻の確認ができるばかりでなく、ソーラーセルが透けて見えることがなくなり、時計用表示板の美麗化に貢献し、さらに、意匠選択の自由度を向上する。
【００４４】
また、蓄光性蛍光体層に重ねてプリズム層を設けるときは、蓄光性蛍光体層の発する光が集光されて平行光となるため、輝度を向上する効果がある。
【００４５】
蓄光性蛍光体層に重ねて光拡散層または光反射層を設けるときは、ソーラーセルが透けて見えるという欠点を解消する効果が増大する。
【００４６】
また、蓄光性蛍光体層の表面の一部領域を凸状にしておき、この凸状印をもって文字等やマーク等や模様等を形成しておくと、表示板が美麗となり、表示板の意匠選択の自由度も向上する。
【００４７】
オーバーコート層を樹脂層の積層体をもって構成しておくと、その上に文字や模様を印刷する場合、文字や模様の印刷が滲むことがなく、表示板の美観を向上する。
【００４８】
さらに、表示板用基板やオーバーコート層の色調を、蓄光性蛍光体層の発光色調とは異なる色調にしておくと、意匠選択の自由度向上に、さらに有効である。
【図面の簡単な説明】
【図１】本発明の実施の形態の第１例に係るソーラー時計用表示板の側断面図である。
【図２】本発明の実施の形態の第２例に係るソーラー時計用表示板の側断面図である。
【図３】本発明の実施の形態の第３例に係るソーラー時計用表示板の側断面図である。
【図４】本発明の実施の形態の第４例に係るソーラー時計用表示板の側断面図である。
【図５】本発明の実施の形態の第７例に係るソーラー時計用表示板の側断面図である。
【図６】本発明の実施の形態の第８例に係るソーラー時計用表示板の側断面図である。
【図７】本発明の実施の形態の第９例に係るソーラー時計用表示板の側断面図である。
【図８】ＳｒＡｌ2 Ｏ4 ：Ｅｕ2+，Ｄｙ3+の励起スペクトルと刺激停止後３０分経過後の発光スペクトルとを示すグラフである。
【図９】Ｓｒ4 Ａｌ14Ｏ25：Ｅｕ2+，Ｄｙ3+の励起スペクトルと刺激停止後３０分経過後の発光スペクトルとを示すグラフである。
【図１０】ＣａＡｌ2 Ｏ4 ：Ｅｕ2+，Ｎｄ3+の励起スペクトルと刺激停止後３０分経過後の発光スペクトルとを示すグラフである。
【図１１】従来の技術に係るソーラー時計用表示板の平面図である。
【図１２】従来の技術に係るソーラー時計用表示板の側断面図である。
【符号の説明】
４    時計本体
１１    ソーラーセル（光電変換手段）
１２    表示板用基板
１３    蓄光性蛍光体層
１４    オーバーコート層
１５    時字
１６    蓄光性蛍光体層の表面に設けられた凸部
１７    ソーラーセルと表示板用基板との間に設けられる光拡散層
１８    ソーラーセルと表示板用基板との間に設けられる光反射層
１９    プリズム層
３１    時計本体
３２    ソーラーセル
３３    絶縁領域
３４    透明板
３５    透明のオーバーコート
３６    表示針
【図１】
0003650436.tif 000002
【図２】
0003650436.tif 000003
【図３】
0003650436.tif 000004
【図４】
0003650436.tif 000005
【図５】
0003650436.tif 000006
【図６】
0003650436.tif 000007
【図７】
0003650436.tif 000008
【図８】
0003650436.tif 000009
【図９】
0003650436.tif 000010
【図１０】
0003650436.tif 000011
【図１１】
0003650436.tif 000012
【図１２】
0003650436.tif 000013